(57)【要約】【課題】掘削量が少なくて済み、外観に与える影響を小さく抑えることのできる組積造構造物の補強方法および補強構造を提供する。【解決手段】組積造構造物１０の内部に、緊張材２２（棒状材）を鉛直方向に挿通配置するための縦孔１６を設けるステップと、緊張材２２の下端に対応する高さ位置近傍であって緊張材２２の下端よりも上における組積造構造物１０の横方向の目地１４に、目地１４の表面から縦孔１６に通じる横溝２０を設けるステップと、縦孔１６に緊張材２２を挿通配置する一方で、横溝２０に定着板２８を挿通配置するステップと、緊張材２２の下端を横溝２０内の定着板２８に定着するステップと、緊張材２２の下端を固定端、上端を緊張端として緊張材２２に緊張力を付与して組積造構造物１０に上下方向の圧縮力を作用させるステップとを備えるようにする。【選択図】図５
2019085756.tif 000002
【特許請求の範囲】
【請求項１】
組積材を積み上げてなる既設の組積造構造物を補強する方法であって、
組積造構造物の内部に、緊張材または補強材として機能する棒状材を鉛直方向に挿通配置するための縦孔を設けるステップと、
棒状材の下端に対応する高さ位置近傍であって棒状材の下端よりも上における組積造構造物の横方向の目地に、目地の表面から縦孔に通じる横溝を設けるステップと、
縦孔に棒状材を挿通配置する一方で、横溝に定着板を挿通配置するステップと、
棒状材の下端を横溝内の定着板に定着するステップとを備えることを特徴とする組積造構造物の補強方法。
【請求項２】
棒状材は緊張材として機能するものであり、この棒状材の下端を固定端、上端を緊張端として棒状材に緊張力を付与して組積造構造物に上下方向の圧縮力を作用させるステップをさらに備えることを特徴とする請求項１に記載の組積造構造物の補強方法。
【請求項３】
棒状材の下端には、雄ねじ部が設けられており、定着板には、この雄ねじ部が螺合可能な雌ねじ孔が設けられていることを特徴とする請求項１または２に記載の組積造構造物の補強方法。
【請求項４】
縦孔に棒状材を挿通した後、横溝に定着板を挿通して定着板の奥端を棒状材に当接させて雌ねじ孔から棒状材まで距離を確認し、その後、棒状材を上昇させてから、確認した距離に応じて定着板を横溝の奥側に挿入し、その後、棒状材を下降させて下端の雄ねじ部を定着板の雌ねじ孔に入れて螺合することを特徴とする請求項３に記載の組積造構造物の補強方法。
【請求項５】
横溝を、１個または上下に隣接する２個以上の組積材の上下の目地に設けるとともに、定着板を、１個または上下に隣接する２個以上の組積材を上下の目地から挟む態様で２枚以上設けることを特徴とする請求項１〜４のいずれか一つに記載の組積造構造物の補強方法。
【請求項６】
組積材を積み上げてなる既設の組積造構造物を補強する構造であって、
組積造構造物の内部に設けられ、緊張材または補強材として機能する棒状材を鉛直方向に挿通配置するための縦孔と、
棒状材の下端に対応する高さ位置近傍であって棒状材の下端よりも上における組積造構造物の横方向の目地に設けられ、目地の表面から縦孔に通じる横溝と、
縦孔に挿通配置される棒状材と、横溝に挿通配置される定着板とを備え、
棒状材の下端は、横溝内の定着板に定着していることを特徴とする組積造構造物の補強構造。
【請求項７】
横溝を、１個または上下に隣接する２個以上の組積材の上下の目地に設けるとともに、定着板を、１個または上下に隣接する２個以上の組積材を上下の目地から挟む態様で２枚以上設けたことを特徴とする請求項６に記載の組積造構造物の補強構造。
【発明の詳細な説明】
【技術分野】
【０００１】
本発明は、組積造構造物の補強方法および補強構造に関し、例えばレンガ壁などの既設の組積造構造物に対してＰＣ鋼棒などを設けることにより耐震補強する組積造構造物の補強方法および補強構造に関するものである。
【背景技術】
【０００２】
従来、幕末期以降に建造されたレンガ造りの歴史的建造物を文化資産として保存活用するために、歴史的な価値を損なわずに耐震補強する技術が求められている。こうした技術として、例えば特許文献１、２に示すような組積造のレンガ壁の補強技術が知られている。また、このような技術に関連して、本特許出願人は特願２０１７−０８３６８８号に示される技術を既に提案している。
【０００３】
上記の特許文献１、２に示されるレンガ壁の補強方法は、レンガ壁の上端と下端との間を鉛直方向に貫通する貫通孔を形成した後、この貫通孔内にＰＣ鋼棒を通し、プレストレスをかけてレンガ壁に圧縮力を作用させて耐力を向上させる方法である。この方法では、ＰＣ鋼棒の上下端をレンガ壁に定着する必要がある。ＰＣ鋼棒の上端については、レンガ壁の頂部に設けた定着板に定着すればよいが、ＰＣ鋼棒の下端については、下記の（１）や（２）の方法がある。
【０００４】
（１）レンガ壁の基礎の下を掘削して、ＰＣ鋼棒の下端部に定着板をつけて基礎の下に定着する。
（２）レンガ壁の下側部分に横孔をあけ、この横孔からレンガ壁内に定着板を設置するとともにグラウト等を充填してＰＣ鋼棒の下端部を定着する。
【先行技術文献】
【特許文献】
【０００５】
【特許文献１】特開２０１０−２８１０３３号公報
【特許文献２】特開２０１０−２８１０３４号公報
【発明の概要】
【発明が解決しようとする課題】
【０００６】
しかしながら、上記の（１）の方法では、掘削量が多くなるため施工コストが増大するおそれがある。また、（２）の方法では、レンガ壁に比較的大きな横孔が空くため、レンガ壁の外観に大きな影響を与えるおそれがある。
【０００７】
このため、既設のレンガ壁内に定着部材を設ける工程を有する補強方法において、掘削量が少なくて済み、レンガ壁の外観に与える影響を小さく抑えることのできる技術が求められていた。
【０００８】
本発明は、上記に鑑みてなされたものであって、外観に与える影響を小さく抑えることのできる組積造構造物の補強方法および補強構造を提供することを目的とする。
【課題を解決するための手段】
【０００９】
上記した課題を解決し、目的を達成するために、本発明に係る組積造構造物の補強方法は、組積材を積み上げてなる既設の組積造構造物を補強する方法であって、組積造構造物の内部に、緊張材または補強材として機能する棒状材を鉛直方向に挿通配置するための縦孔を設けるステップと、棒状材の下端に対応する高さ位置近傍であって棒状材の下端よりも上における組積造構造物の横方向の目地に、目地の表面から縦孔に通じる横溝を設けるステップと、縦孔に棒状材を挿通配置する一方で、横溝に定着板を挿通配置するステップと、棒状材の下端を横溝内の定着板に定着するステップとを備えることを特徴とする。
【００１０】
また、本発明に係る他の組積造構造物の補強方法は、上述した発明において、棒状材は緊張材として機能するものであり、この棒状材の下端を固定端、上端を緊張端として棒状材に緊張力を付与して組積造構造物に上下方向の圧縮力を作用させるステップをさらに備えることを特徴とする。
【００１１】
また、本発明に係る他の組積造構造物の補強方法は、上述した発明において、棒状材の下端には、雄ねじ部が設けられており、定着板には、この雄ねじ部が螺合可能な雌ねじ孔が設けられていることを特徴とする。
【００１２】
また、本発明に係る他の組積造構造物の補強方法は、上述した発明において、縦孔に棒状材を挿通した後、横溝に定着板を挿通して定着板の奥端を棒状材に当接させて雌ねじ孔から棒状材まで距離を確認し、その後、棒状材を上昇させてから、確認した距離に応じて定着板を横溝の奥側に挿入し、その後、棒状材を下降させて下端の雄ねじ部を定着板の雌ねじ孔に入れて螺合することを特徴とする。
【００１３】
また、本発明に係る他の組積造構造物の補強方法は、上述した発明において、横溝を、１個または上下に隣接する２個以上の組積材の上下の目地に設けるとともに、定着板を、１個または上下に隣接する２個以上の組積材を上下の目地から挟む態様で２枚以上設けることを特徴とする。
【００１４】
また、本発明に係る組積造構造物の補強構造は、組積材を積み上げてなる既設の組積造構造物を補強する構造であって、組積造構造物の内部に設けられ、緊張材または補強材として機能する棒状材を鉛直方向に挿通配置するための縦孔と、棒状材の下端に対応する高さ位置近傍であって棒状材の下端よりも上における組積造構造物の横方向の目地に設けられ、目地の表面から縦孔に通じる横溝と、縦孔に挿通配置される棒状材と、横溝に挿通配置される定着板とを備え、棒状材の下端は、横溝内の定着板に定着していることを特徴とする。
【００１５】
また、本発明に係る他の組積造構造物の補強構造は、上述した発明において、横溝を、１個または上下に隣接する２個以上の組積材の上下の目地に設けるとともに、定着板を、１個または上下に隣接する２個以上の組積材を上下の目地から挟む態様で２枚以上設けたことを特徴とする。
【発明の効果】
【００１６】
本発明に係る組積造構造物の補強方法によれば、組積材を積み上げてなる既設の組積造構造物を補強する方法であって、組積造構造物の内部に、緊張材または補強材として機能する棒状材を鉛直方向に挿通配置するための縦孔を設けるステップと、棒状材の下端に対応する高さ位置近傍であって棒状材の下端よりも上における組積造構造物の横方向の目地に、目地の表面から縦孔に通じる横溝を設けるステップと、縦孔に棒状材を挿通配置する一方で、横溝に定着板を挿通配置するステップと、棒状材の下端を横溝内の定着板に定着するステップとを備えるので、掘削量が少なくて済み、組積造構造物の外観に与える影響を小さく抑えることのできる補強方法を提供することができるという効果を奏する。
【００１７】
また、本発明に係る他の組積造構造物の補強方法によれば、棒状材は緊張材として機能するものであり、この棒状材の下端を固定端、上端を緊張端として棒状材に緊張力を付与して組積造構造物に上下方向の圧縮力を作用させるステップをさらに備えるので、組積造構造物に圧縮力を作用させる場合において、掘削量が少なくて済み、組積造構造物の外観に与える影響を小さく抑えることのできる補強方法を提供することができるという効果を奏する。
【００１８】
また、本発明に係る他の組積造構造物の補強方法によれば、棒状材の下端には、雄ねじ部が設けられており、定着板には、この雄ねじ部が螺合可能な雌ねじ孔が設けられているので、緊張材の下端の雄ねじ部を定着板の雌ねじ孔に螺合することで、緊張材の下端を定着板に容易かつ確実に固定することができるという効果を奏する。
【００１９】
また、本発明に係る他の組積造構造物の補強方法によれば、縦孔に棒状材を挿通した後、横溝に定着板を挿通して定着板の奥端を棒状材に当接させて雌ねじ孔から棒状材まで距離を確認し、その後、棒状材を上昇させてから、確認した距離に応じて定着板を横溝の奥側に挿入し、その後、棒状材を下降させて下端の雄ねじ部を定着板の雌ねじ孔に入れて螺合するので、緊張材の下端の雄ねじ部と定着板の雌ねじ孔の位置合わせを容易に行うことができるという効果を奏する。
【００２０】
また、本発明に係る他の組積造構造物の補強方法によれば、横溝を、１個または上下に隣接する２個以上の組積材の上下の目地に設けるとともに、定着板を、１個または上下に隣接する２個以上の組積材を上下の目地から挟む態様で２枚以上設けるので、定着板間の組積材が定着板と一体に挙動可能となり、定着部分の剛性、耐力を向上することができるという効果を奏する。
【００２１】
また、本発明に係る組積造構造物の補強構造によれば、組積材を積み上げてなる既設の組積造構造物を補強する構造であって、組積造構造物の内部に設けられ、緊張材または補強材として機能する棒状材を鉛直方向に挿通配置するための縦孔と、棒状材の下端に対応する高さ位置近傍であって棒状材の下端よりも上における組積造構造物の横方向の目地に設けられ、目地の表面から縦孔に通じる横溝と、縦孔に挿通配置される棒状材と、横溝に挿通配置される定着板とを備え、棒状材の下端は、横溝内の定着板に定着しているので、掘削量が少なくて済み、組積造構造物の外観に与える影響を小さく抑えることのできる補強構造を提供することができるという効果を奏する。
【００２２】
また、本発明に係る他の組積造構造物の補強構造によれば、横溝を、１個または上下に隣接する２個以上の組積材の上下の目地に設けるとともに、定着板を、１個または上下に隣接する２個以上の組積材を上下の目地から挟む態様で２枚以上設けたので、定着板間の組積材が定着板と一体に挙動可能となり、定着部分の剛性、耐力を向上することができるという効果を奏する。
【図面の簡単な説明】
【００２３】
【図１】図１は、本発明に係る組積造構造物の補強方法および補強構造の実施の形態を示すステップ１のレンガ壁の図であり、（１）はＡ−Ａ断面図、（２）はＢ−Ｂ断面図、（３）は正面図、（４）は側断面図である。
【図２】図２は、本発明に係る組積造構造物の補強方法および補強構造の実施の形態を示すステップ２のレンガ壁の図であり、（１）はＡ−Ａ断面図、（２）は正面図、（３）は側断面図である。
【図３】図３は、本発明に係る組積造構造物の補強方法および補強構造の実施の形態を示すステップ３のレンガ壁の図であり、（１）はＡ−Ａ断面図、（２）は正面図、（３）は側断面図である。
【図４】図４は、本発明に係る組積造構造物の補強方法および補強構造の実施の形態を示すステップ４のレンガ壁の図であり、（１）はＡ−Ａ断面図、（２）は正面図、（３）は側断面図である。
【図５】図５は、本発明に係る組積造構造物の補強方法および補強構造の実施の形態を示すステップ５のレンガ壁の図であり、（１）はＡ−Ａ断面図、（２）は正面図、（３）は側断面図である。
【図６】図６は、本発明に係る組積造構造物の補強方法および補強構造の他の実施の形態を示すレンガ壁の図であり、（１）は正面図、（２）は側断面図である。
【発明を実施するための形態】
【００２４】
以下に、本発明に係る組積造構造物の補強方法および補強構造の実施の形態を図面に基づいて詳細に説明する。なお、以下の実施の形態においては、棒状材がＰＣ鋼棒（緊張材）である場合を例にとり説明するが、本発明はこれに限るものではなく、棒状材が鉄筋などの補強材であってもよい。
【００２５】
また、本実施の形態では、補強対象の組積造構造物として、図１に示すようなレンガ壁１０を例にとり説明する。このレンガ壁１０は、組積材としてのレンガ１２を積み上げて形成した壁体であり、図示しない地中に設けたコンクリート基礎上に構築されている。レンガ１２は、粘土や頁岩と泥を焼き固めて、または圧縮して作られた直方体状の建築材である。上下および左右に隣り合うレンガ１２間には、モルタルやグラウトなどからなる目地１４が設けられている。
【００２６】
本実施の形態の補強方法は、ステップ１〜５の施工手順で行われる。以下、各ステップの施工内容について説明する。
【００２７】
（ステップ１）
まず、図１に示すように、ＰＣ鋼棒（緊張材）を鉛直方向に通すための縦孔１６をレンガ壁１０の内部に穿孔する。この縦孔１６はレンガ壁１０の上端１８から下部に向けて鉛直方向に延びる円形断面の孔であり、孔の径はＰＣ鋼棒の径よりも若干大径に設定する。なお、特に図示しないが、縦孔１６は、壁の長さ方向に沿って間隔をあけて複数形成するものとする。
【００２８】
（ステップ２）
次に、図２に示すように、定着板を設置したい位置（ＰＣ鋼棒の下端を定着する高さ位置）の横方向の目地１４を水平に削って、レンガ壁１０の壁面から内部の縦孔１６に通じる横溝２０を形成する。本実施の形態の横溝２０は、レンガ壁１０の正面視で横に細長く内部奥側に向けて水平に延びる溝であり、溝の高さは目地１４の高さ以下である。また、この横溝２０は、平面視で略長方形状であり、横溝２０の奥端は縦孔１６よりも奥側に位置する。
【００２９】
横溝２０は、いかなる方法で形成してもよく、例えばドリルで並べて孔をあけて形成してもよいし、チェーンソーのような切削機械で形成してもよい。厚い定着板が必要な場合は、目地１４だけでなく上下のレンガ１２も削って形成してもよい。
【００３０】
（ステップ３）
次に、図３に示すように、レンガ壁１０の上端１８から縦孔１６にＰＣ鋼棒２２を仮挿入して所定位置に配置する。ここで、ＰＣ鋼棒２２の下端２４は、外周面にねじ山が形成された雄ねじ部２６となっており、その下端は凸形状に尖って、後述する定着板２８の雌ねじ孔３０に入りやすくなっている。
【００３１】
続いて、レンガ壁１０の壁面から横溝２０に定着板２８を挿入して、内部のＰＣ鋼棒２２に当たるまで押し入れる。
【００３２】
ここで、定着板２８の先端側には、ＰＣ鋼棒定着用の雌ねじ孔３０が貫通形成されている。また、定着板２８の先端側の左右方向中央部分には、手前側に窪んだ凹部３２が形成されており、ＰＣ鋼棒２２が入り込めるようになっている。この凹部３２で縦孔１６に配置されたＰＣ鋼棒２２の位置を探ることができる。
【００３３】
また、定着板２８の手前側端部には、定着板２８の挿入を補助するための挿入補助棒３４が着脱自在に設けられている。挿入補助棒３４の構成例としては、例えば、挿入補助棒３４の端部に雄ねじ部を設けるとともに、定着板２８の手前側端部に雌ねじ孔を設け、この雌ねじ孔に挿入補助棒３４の雄ねじ部をねじ込んで使用し、使用後に定着板２８から取り外せるようにしてもよいし、あるいは、挿入補助棒３４自体をプラスチックなどの切断可能な材料で構成して、使用後に定着板２８から取り外せるようにしてもよい。
【００３４】
さて、図３に示すように、挿入補助棒３４を把持して定着板２８を奥側に押し込むと、凹部３２にＰＣ鋼棒２２の棒体部分が入り込んで当接した状態で動きが止まる。この状態で、ＰＣ鋼棒２２の雄ねじ部２６と雌ねじ孔３０の間の水平距離ａを測定しておく。
【００３５】
（ステップ４）
次に、図４に示すように、仮挿入していたＰＣ鋼棒２２を少し持ち上げて凹部３２から外した後、定着板２８を距離ａ（図３を参照）だけ奥側に押し込む。これにより、定着板２８の雌ねじ孔３０の位置がＰＣ鋼棒２２の略直下の位置になる。このような手順により、ＰＣ鋼棒２２の下端２４の雄ねじ部２６と定着板２８の雌ねじ孔３０の位置合わせを容易に行うことができる。
【００３６】
（ステップ５）
次に、図５に示すように、ＰＣ鋼棒２２を下げて下端２４の雄ねじ部２６を定着板２８の雌ねじ孔３０に挿入し、ＰＣ鋼棒２２を回してねじ込み固定する。この場合、雄ねじ部２６の下端は尖っているので、雌ねじ孔３０にスムーズに案内されて挿入される。また、このような構成を採用することで、ＰＣ鋼棒２２の下端２４を定着板２８に容易かつ確実に固定することができる。
【００３７】
続いて、挿入補助棒３４を定着板２８から取り外す。その後、縦孔１６および横溝２０にグラウト等を注入して、縦孔１６とＰＣ鋼棒２２の間の隙間、横溝２０と定着板２８の間の隙間に充填する。この場合、必要に応じて、横溝２０内の定着板２８の上下で別々に注入作業を行ってもよい。また、注入がスムーズに行われるように、定着板２８にはエア抜き用の孔をあけておいてもよい。
【００３８】
その後、ＰＣ鋼棒２２の下端２４を固定端、上端を緊張端としてＰＣ鋼棒２２に緊張力を付与して、ＰＣ鋼棒２２の上端をレンガ壁１０の上端１８に設けた図示しない定着板等に定着する。これにより、レンガ壁１０の上端１８と下部の定着板２８との間に上下方向の圧縮力を作用させてレンガ壁１０を補強することができ、本実施の形態に係る組積造構造物の補強構造１００を得ることができる。
【００３９】
この補強方法によれば、ＰＣ鋼棒２２の下端２４の定着部を定着部の真横から施工するため、レンガ壁１０の下の地盤掘削を要しない。このため掘削量は殆ど生じない。また、ＰＣ鋼棒２２の下端２４の定着部を形成するために上下レンガ間の横方向の目地１４に細長い横溝２０を設ける方法であり、従来のようにコア抜きにより大きな横孔をあける方法ではないため、壁面の改変箇所を目立たなくすることができる。このため、レンガ壁１０の外観に与える影響は少ないか、または影響は殆どない。したがって、本実施の形態によれば、レンガ壁１０の外観に与える影響を小さく抑えることのできる補強方法を提供することができる。
【００４０】
上記の実施の形態においては、ＰＣ鋼棒２２の下端２４の位置のレンガ壁１０内部に１枚の定着板２８を設ける場合を例にとり説明したが、本発明はこれに限るものではない。例えば、図６に示すように、定着力を大きくするために、レンガ１２を上下から挟むように２枚以上の定着板２８を設けてもよい。こうすることで、定着板２８間のレンガ１２が定着板２８と一体となって挙動できるようになるため、より剛性、耐力の大きい定着が可能となる。
【００４１】
また、上記の実施の形態においては、棒状材が緊張材として機能するＰＣ鋼棒の場合を例にとり説明したが、本発明はこれに限るものではない。例えば、棒状材が鉄筋などの補強用の鋼材であってもよい。この場合、ＰＣ鋼棒２２の場合と同様に、鉄筋の下端をねじ切りして雄ねじ部を形成しておく。そして、この鉄筋を縦孔１６に挿入して雄ねじ部を定着板２８の雌ねじ孔３０に螺合することによって、鉄筋の下端を定着板２８に定着してレンガ壁１０を補強する。ただし鉄筋に緊張力は付与しない。この方法によれば、定着耐力を増加させる効果があるため、定着長を短くすることができる。
【００４２】
以上説明したように、本発明に係る組積造構造物の補強方法によれば、組積材を積み上げてなる既設の組積造構造物を補強する方法であって、組積造構造物の内部に、緊張材または補強材として機能する棒状材を鉛直方向に挿通配置するための縦孔を設けるステップと、棒状材の下端に対応する高さ位置近傍であって棒状材の下端よりも上における組積造構造物の横方向の目地に、目地の表面から縦孔に通じる横溝を設けるステップと、縦孔に棒状材を挿通配置する一方で、横溝に定着板を挿通配置するステップと、棒状材の下端を横溝内の定着板に定着するステップとを備えるので、掘削量が少なくて済み、組積造構造物の外観に与える影響を小さく抑えることのできる補強方法を提供することができる。
【００４３】
また、本発明に係る他の組積造構造物の補強方法によれば、棒状材は緊張材として機能するものであり、この棒状材の下端を固定端、上端を緊張端として棒状材に緊張力を付与して組積造構造物に上下方向の圧縮力を作用させるステップをさらに備えるので、組積造構造物に圧縮力を作用させる場合において、掘削量が少なくて済み、組積造構造物の外観に与える影響を小さく抑えることのできる補強方法を提供することができる。
【００４４】
また、本発明に係る他の組積造構造物の補強方法によれば、棒状材の下端には、雄ねじ部が設けられており、定着板には、この雄ねじ部が螺合可能な雌ねじ孔が設けられているので、緊張材の下端の雄ねじ部を定着板の雌ねじ孔に螺合することで、緊張材の下端を定着板に容易かつ確実に固定することができる。
【００４５】
また、本発明に係る他の組積造構造物の補強方法によれば、縦孔に棒状材を挿通した後、横溝に定着板を挿通して定着板の奥端を棒状材に当接させて雌ねじ孔から棒状材まで距離を確認し、その後、棒状材を上昇させてから、確認した距離に応じて定着板を横溝の奥側に挿入し、その後、棒状材を下降させて下端の雄ねじ部を定着板の雌ねじ孔に入れて螺合するので、緊張材の下端の雄ねじ部と定着板の雌ねじ孔の位置合わせを容易に行うことができる。
【００４６】
また、本発明に係る他の組積造構造物の補強方法によれば、横溝を、１個または上下に隣接する２個以上の組積材の上下の目地に設けるとともに、定着板を、１個または上下に隣接する２個以上の組積材を上下の目地から挟む態様で２枚以上設けるので、定着板間の組積材が定着板と一体に挙動可能となり、定着部分の剛性、耐力を向上することができる。
【００４７】
また、本発明に係る組積造構造物の補強構造によれば、組積材を積み上げてなる既設の組積造構造物を補強する構造であって、組積造構造物の内部に設けられ、緊張材または補強材として機能する棒状材を鉛直方向に挿通配置するための縦孔と、棒状材の下端に対応する高さ位置近傍であって棒状材の下端よりも上における組積造構造物の横方向の目地に設けられ、目地の表面から縦孔に通じる横溝と、縦孔に挿通配置される棒状材と、横溝に挿通配置される定着板とを備え、棒状材の下端は、横溝内の定着板に定着しているので、掘削量が少なくて済み、組積造構造物の外観に与える影響を小さく抑えることのできる補強構造を提供することができる。
【００４８】
また、本発明に係る他の組積造構造物の補強構造によれば、横溝を、１個または上下に隣接する２個以上の組積材の上下の目地に設けるとともに、定着板を、１個または上下に隣接する２個以上の組積材を上下の目地から挟む態様で２枚以上設けたので、定着板間の組積材が定着板と一体に挙動可能となり、定着部分の剛性、耐力を向上することができる。
【産業上の利用可能性】
【００４９】
以上のように、本発明に係る組積造構造物の補強方法および補強構造は、例えばレンガ壁などの既設の組積造構造物に対してＰＣ鋼棒などでプレストレスを導入することにより耐震補強したり、また、既設の組積造構造物に鉄筋を挿入して補強する際に、定着耐力を増加させ定着長を短くするのに有用であり、特に、既設の組積造構造物の外観に与える影響を小さく抑えて耐震補強するのに適している。
【符号の説明】
【００５０】
１０  レンガ壁（組積造構造物）
１２  レンガ（組積材）
１４  目地
１６  縦孔
１８  上端
２０  横溝
２２  ＰＣ鋼棒（緊張材、棒状材）
２４  下端
２６  雄ねじ部
２８  定着板
３０  雌ねじ孔
３２  凹部
３４  挿入補助棒
１００  組積造構造物の補強構造
【図１】
2019085756.tif 000003
【図２】
2019085756.tif 000004
【図３】
2019085756.tif 000005
【図４】
2019085756.tif 000006
【図５】
2019085756.tif 000007
【図６】
2019085756.tif 000008